【手続補正書】
【提出日】平成27年10月16日(2015.10.16)
【手続補正１】
【補正対象書類名】特許請求の範囲
【補正対象項目名】全文
【補正方法】変更
【補正の内容】
【特許請求の範囲】
【請求項１】
ＵＩ画面に対する第１の画面と、該第１の画面に対し依存関係を持つ第２の画面と、を含む画面種別情報を管理する第１管理手段と、
ＵＩ画面内に配置される複数の配置アイテムごとに、前記第１の画面の配置アイテムのカスタマイズを前記第２の画面に反映するかを示す配置アイテム種別情報を管理する第２管理手段と、
前記第１の画面及び前記第２の画面を表示制御する第３管理手段と、
前記第３管理手段により表示制御された前記第１の画面の配置アイテムがカスタマイズされるとき、該配置アイテムの前記配置アイテム種別情報に基づいて、前記第１の画面に依存する前記第２の画面に該配置アイテムのカスタマイズを反映するカスタマイズ制御手段と、
を備える画像形成装置。
【請求項２】
前記カスタマイズ制御手段は、カスタマイズされた前記配置アイテムの前記配置アイテム種別情報が前記第１の画面の配置アイテムのカスタマイズを前記第２の画面に反映しないことを示すとき、前記配置アイテムのカスタマイズを、前記第１の画面に依存する前記第２の画面に反映しないことを特徴とする請求項１に記載の画像形成装置。
【請求項３】
前記カスタマイズ制御手段は、カスタマイズされた前記配置アイテムの前記配置アイテム種別情報が前記第１の画面の配置アイテムのカスタマイズを前記第２の画面に反映することを示すとき、前記配置アイテムにされたカスタマイズが該配置アイテムの機能の利用可否に影響するカスタマイズであれば、前記配置アイテムのカスタマイズを、前記第１の画面に依存する前記第２の画面に反映することを特徴とする請求項１又は２に記載の画像形成装置。
【請求項４】
前記配置アイテムの機能の利用可否に影響するカスタマイズは、前記配置アイテムを表示又は非表示にするカスタマイズであることを特徴とする請求項３に記載の画像形成装置。
【請求項５】
前記複数の配置アイテムのうち一の配置アイテムの配置アイコン種別は、前記複数の配置アイテムのうち他の配置アイテムの機能制限により該一の配置アイテムの表示を変更することを示し、
前記カスタマイズ制御手段は、前記第１の画面の他の配置アイテムに対して該他の配置アイテムの機能の利用可否に影響するカスタマイズがされるとき、前記第１の画面の一の配置アイテムの表示を変更することを特徴とする請求項１乃至４のいずれか一項に記載の画像形成装置。
【請求項６】
請求項５に記載の画像形成装置であって、
前記他の配置アイテムの配置アイコン種別が、前記第１の画面の配置アイテムのカスタマイズを前記第２の画面に反映することを示すとき、
前記カスタマイズ制御手段は、前記第１の画面の他の配置アイテムに対して該他の配置アイテムの機能の利用可否に影響するカスタマイズがされるとき、前記第２の画面の他の配置アイテム及び前記第２の画面の一の配置アイテムの表示を変更することを特徴とする画像形成装置。
【請求項７】
前記カスタマイズ制御手段は、カスタマイズされた前記配置アイテムの前記配置アイテム種別情報が前記第１の画面の配置アイテムのカスタマイズを前記第２の画面に反映することを示すとき、前記配置アイテムにされたカスタマイズが前記第１の画面のデザインに関するカスタマイズであれば、前記配置アイテムのカスタマイズを、前記第１の画面に依存する前記第２の画面に反映しないことを特徴とする請求項１乃至６のいずれか一項に記載の画像形成装置。
【請求項８】
請求項７に記載の画像形成装置であって、
前記デザインに関するカスタマイズは、前記配置アイテムのレイアウトの変更又は前記配置アイテムのサイズ変更であることを特徴とする画像形成装置。
【請求項９】
前記ＵＩ画面は、ホーム画面であり、前記第１の画面は、デフォルトのホーム画面であり、前記第２の画面は、ユーザごとのホーム画面であることを特徴とする請求項１乃至８のいずれか一項に記載の画像形成装置。
【請求項１０】
前記配置アイテムは、アイコンであることを特徴とする請求項１乃至９のいずれか一項に記載の画像形成装置。
【請求項１１】
画像形成装置が行うカスタマイズ制御方法であって、
前記画像形成装置が、記憶部から、ＵＩ画面に対する第１の画面と、該第１の画面に対し依存関係を持つ第２の画面と、を含む画面種別情報を取得する第１取得ステップと、
前記画像形成装置が、記憶部から、ＵＩ画面内に配置される複数の配置アイテムごとに、前記第１の画面の配置アイテムのカスタマイズを前記第２の画面に反映するかを示す配置アイテム種別情報を取得する第２取得ステップと、
前記画像形成装置が、前記第１の画面及び前記第２の画面を表示制御する表示制御ステップと、
前記画像形成装置が、前記表示制御ステップにより表示制御された前記第１の画面の配置アイテムがカスタマイズされるとき、該配置アイテムの前記配置アイテム種別情報に基づいて、前記第１の画面に依存する前記第２の画面に該配置アイテムのカスタマイズを反映するカスタマイズ制御ステップと、
を有するカスタマイズ制御方法。
【請求項１２】
コンピュータにカスタマイズ制御方法を実行させるためのカスタマイズ制御プログラムであって、
前記コンピュータが、記憶部から、ＵＩ画面に対する第１の画面と、該第１の画面に対し依存関係を持つ第２の画面と、を含む画面種別情報を取得する第１取得ステップと、
前記コンピュータが、記憶部から、ＵＩ画面内に配置される複数の配置アイテムごとに、前記第１の画面の配置アイテムのカスタマイズを前記第２の画面に反映するかを示す配置アイテム種別情報を取得する第２取得ステップと、
前記コンピュータが、前記第１の画面及び前記第２の画面を表示制御する表示制御ステップと、
前記コンピュータが、前記表示制御ステップにより表示制御された前記第１の画面の配置アイテムがカスタマイズされるとき、該配置アイテムの前記配置アイテム種別情報に基づいて、前記第１の画面に依存する前記第２の画面に該配置アイテムのカスタマイズを反映するカスタマイズ制御ステップと、
をコンピュータに実行させるためのカスタマイズ制御プログラム。
【手続補正２】
【補正対象書類名】明細書
【補正対象項目名】０００８
【補正方法】変更
【補正の内容】
【０００８】
本発明の一態様の画像形成装置は、ＵＩ画面に対する第１の画面と、該第１の画面に対し依存関係を持つ第２の画面と、を含む画面種別情報を管理する第１管理手段と、ＵＩ画面内に配置される複数の配置アイテムごとに、前記第１の画面の配置アイテムのカスタマイズを前記第２の画面に反映するかを示す配置アイテム種別情報を管理する第２管理手段と、前記第１の画面及び前記第２の画面を表示制御する第３管理手段と、前記第３管理手段により表示制御された前記第１の画面の配置アイテムがカスタマイズされるとき、該配置アイテムの前記配置アイテム種別情報に基づいて、前記第１の画面に依存する前記第２の画面に該配置アイテムのカスタマイズを反映するカスタマイズ制御手段と、を備える。
【手続補正３】
【補正対象書類名】明細書
【補正対象項目名】０００９
【補正方法】変更
【補正の内容】
【０００９】
また、本発明の他の態様のカスタマイズ制御方法は、前記画像形成装置が、記憶部から、ＵＩ画面に対する第１の画面と、該第１の画面に対し依存関係を持つ第２の画面と、を含む画面種別情報を取得する第１取得ステップと、前記画像形成装置が、記憶部から、ＵＩ画面内に配置される複数の配置アイテムごとに、前記第１の画面の配置アイテムのカスタマイズを前記第２の画面に反映するかを示す配置アイテム種別情報を取得する第２取得ステップと、前記画像形成装置が、前記第１の画面及び前記第２の画面を表示制御する表示制御ステップと、前記画像形成装置が、前記表示制御ステップにより表示制御された前記第１の画面の配置アイテムがカスタマイズされるとき、該配置アイテムの前記配置アイテム種別情報に基づいて、前記第１の画面に依存する前記第２の画面に該配置アイテムのカスタマイズを反映するカスタマイズ制御ステップと、を有する。